【手続補正書】
【提出日】平成18年3月23日(2006.3.23)
【手続補正１】
【補正対象書類名】明細書
【補正対象項目名】請求項５
【補正方法】変更
【補正の内容】
【請求項５】  請求項１又は２において、該酸硫化物が、下記一般式5)、6)又は7）で表される化学組成を有することを特徴とする蛍光体。
5）式  
LnaAbBcMOdSe'・f'Ｚ'
（Lnは、Sc、Y、La、Gd、及びLuよりなる群から選ばれる少なくも１種の元素である。
Aは、Ce、Pr、Nd、Sm、Eu、Tb、Dy、Ho、Er、Tm、及びYbよりなる群から選ばれる少なくも１種の元素である。
Bは、アルカリ金属元素又はアルカリ土類金属元素を示し、一部が２価のMn又は４価のMnで置換されていても良い。
Mは、Ti、Zr、及びHfよりなる群から選ばれる少なくも１種の元素である。
Ｚ'は、Ln、A、及びB以外の陽イオンとなり得る元素の、酸化物、硫化物、及び酸硫化物の群より選ばれる少なくとも１種である。
a、b、c、d、e'はBの種類に応じて次のような数を示す。
Bがアルカリ金属元素であり、かつMnを含まない場合：
3a+3b+c+4=2d+2e'、0≦a≦2、0＜b≦2、0≦c≦9、0＜d≦7.5、0＜e'≦4.5
Bがアルカリ金属元素であり、かつMnを２価として含む場合：
LnaAbBc-xMnxMOdSe'・f'Ｚ'で表すと、3a+3b+(c-x)+2x+4=2d+2e'、0≦a≦2、
0＜b≦2、0≦c≦9、0＜d≦7.5、0＜e'≦4.5、0＜x＜c
Bがアルカリ金属元素であり、かつMnを４価として含む場合：
LnaAbBc-xMnxMOdSe'・f'Ｚ'で表すと、3a+3b+(c-x)+4x+4=2d+2e'、0≦a≦2、
0＜b≦2、0≦c≦9、0＜d≦7.5、0＜e'≦4.5、0＜x＜c
Bがアルカリ土類金属元素であり、かつMnを含まない場合：
3a+3b+2c+4=2d+2e'、0≦a≦2、0＜b≦2、0≦c≦4.5、0＜d≦7、0＜e'≦4.5
Bがアルカリ土類金属元素であり、かつMnを２価として含む場合：
3a+3b+2c+4=2d+2e'、0≦a≦2、0≦b≦2、0≦c≦4.5、0＜d≦7.5、
0＜e'≦4.5
Bがアルカリ土類金属元素であり、かつMnを４価として含む場合：
LnaAbBc-xMnxMOdSe'・f'Ｚ'で表すと、3a+3b+2(c-x)+4x+4=2d+2e'、
0≦a≦2、0≦b≦2、0≦c≦4.5、0＜d≦7.5、0＜e'≦4.5、0＜x＜c）
6）式
LnaAbBcM'OdSe'・f'Ｚ'
（Lnは、Sc、Y、La、Gd、及びLuよりなる群から選ばれる少なくも１種の元素である。
Aは、Ce、Pr、Nd、Sm、Eu、Tb、Dy、Ho、Er、Tm、及びYbよりなる群から選ばれる少なくも１種の元素である。
Bは、アルカリ金属元素又はアルカリ土類金属元素を示し、一部が２価のMn又は４価のMnで置換されていても良い。
M'は、Ta元素及び／又はNb元素である。
Ｚは、Ln、A、及びB以外の陽イオンとなり得る元素の、酸化物、硫化物、及び酸硫化物の群より選ばれる少なくとも１種である。
a、b、c、d、e'はBの種類に応じて次のような数を示す。
Bがアルカリ金属元素であり、かつMnを含まない場合：
3a+3b+c+5=2d+2e'、0≦a≦2、0＜b≦2、0≦c≦3、0＜d≦4、0＜e'≦6
Bがアルカリ金属元素であり、かつMnを２価として含む場合：
LnaAbBc-xMnxM'OdSe'・f'Ｚ'で表すと、3a+3b+(c-x)+2x+5=2d+2e'、
0≦a≦2、0＜b≦2、0≦c≦3、0＜d≦4、0＜e'≦6、0＜x＜c
Bがアルカリ金属元素であり、かつMnを４価として含む場合：
LnaAbBc-xMnxM'OdSe'・f'Ｚ'で表すと、3a+3b+(c-x)+4x+5=2d+2e'、
0≦a≦2、0＜b≦2、0≦c≦3、0＜d≦4、0＜e'≦6、0＜x＜c
Bがアルカリ土類金属元素であり、かつMnを含まない場合：
3a+3b+2c+5=2d+2e'、0≦a≦2、0＜b≦2、0≦c≦2、0＜d≦3,0＜e'≦3
Bがアルカリ土類金属元素であり、かつMnを２価として含む場合：
3a+3b+2c+5=2d+2e'、0≦a≦2、0≦b≦2、0≦c≦2、0＜d≦3、0＜e'≦3
Bがアルカリ土類金属元素であり、かつMnを４価として含む場合：
LnaAbBc-xMnxM'OdSe'・f'Ｚ'で表したとき、3a+3b+2(c-x)+4x+5=2d+2e'、
0≦a≦2、0≦b≦2、0≦c≦2、0＜d≦3、0＜e'≦3、0＜x＜c）
7）式
LnaAbBcM”OdSe'・f'Ｚ'
（Lnは、Sc、Y、La、Gd、及びLuよりなる群から選ばれる少なくも１種の元素である。
Aは、Ce、Pr、Nd、Sm、Eu、Tb、Dy、Ho、Er、Tm、及びYbよりなる群から選ばれる少なくも１種の元素である。
Bは、アルカリ金属元素又はアルカリ土類金属元素を示し、一部が２価のMn又は４価のMnで置換されていても良い。
M”は、Mo元素及び／又はW元素である。
Ｚは、Ln、A、及びB以外の陽イオンとなり得る元素の、酸化物、硫化物、及び酸硫化物の群より選ばれる少なくとも１種である。
a、b、c、d、e'はBの種類に応じて次のような数を示す。
Bがアルカリ金属元素であり、かつMnを含まない場合：
3a+3b+c+6=2d+2e'、0≦a≦2、0＜b≦2、0≦c≦4、0＜d≦8、0＜e'≦4.5
Bがアルカリ金属元素であり、かつMnを２価として含む場合：
LnaAbBc-xMnxM”OdSe'・f'Ｚ'で表すと、3a+3b+(c-x)+2x+6=2d+2e'、
0≦a≦2、0＜b≦2、0≦c≦4、0＜d≦8、0＜e'≦4.5、0＜x＜c
Bがアルカリ金属元素であり、かつMnを４価として含む場合：
LnaAbBc-xMnxM”OdSe'・f'Ｚ'で表すと、3a+3b+(c-x)+4x+6=2d+2e'、
0≦a≦2、0＜b≦2、0≦c≦4、0＜d≦8、0＜e'≦4.5、0＜x＜c
Bがアルカリ土類金属元素であり、かつMnを含まない場合：
3a+3b+2c+6=2d+2e'、0≦a≦8、0≦b≦2、0≦c≦2、0＜d≦8、0＜e'≦4.5
Bがアルカリ土類金属元素であり、かつMnを２価として含む場合：
3a+3b+2c+6=2d+2e'、0≦a≦8、0≦b≦2、0≦c≦2、0＜d≦8、0＜e'≦4.5
Bがアルカリ土類金属元素であり、かつMnを４価として含む場合：
LnaAbBc-xMnxM”OdSe'・f'Ｚ'で表したとき、3a+3b+2(c-x)+4x+6=2d+2e'、
0≦a≦2、0≦b≦2、0≦c≦2、0＜d≦8、0＜e'≦4.5、0＜x＜ｃ）
【手続補正２】
【補正対象書類名】明細書
【補正対象項目名】００１１
【補正方法】変更
【補正の内容】
【００１１】
本発明者らは、前記課題を解決すべく、検討する過程において、酸窒化物は、酸化物に比較して、バンドギャップが狭く、長波長の励起光での発光強度がより増加するとの技術的知見を得た。即ち、酸窒化物としては、例えば、Li9TiN3O2、LaTiO2N、Zr2ON2、LaZrO2N、BaNbO2N、LaNbON2、CaTaO2N、Y2Ta2O5N2、GdWO3N等が知られているが、これら酸窒化物は、Li18Ti2O13、La2Ti2O7、ZrO2、La2Zr2O7、Ba2Nb2O7、LaNbO4、Ca2Ta2O7、YTaO4、Gd2W2O9等の酸化物よりもバンドギャップが狭い。その結果、ＧａＮ等からの４００ｎｍ付近の励起波長での発光強度が増加し、実用水準にまで到達する。
【手続補正３】
【補正対象書類名】明細書
【補正対象項目名】００２７
【補正方法】変更
【補正の内容】
【００２７】
6）式
LnaAbBcM'OdSe'・f'Ｚ'
（Lnは、Sc、Y、La、Gd、及びLuよりなる群から選ばれる少なくも１種の元素である。
Aは、Ce、Pr、Nd、Sm、Eu、Tb、Dy、Ho、Er、Tm、及びYbよりなる群から選ばれる少なくも１種の元素である。
Bは、アルカリ金属元素又はアルカリ土類金属元素を示し、一部が２価のMn又は４価のMnで置換されていても良い。
M'は、Ta元素及び／又はNb元素である。
Ｚは、Ln、A、及びB以外の陽イオンとなり得る元素の、酸化物、硫化物、及び酸硫化物の群より選ばれる少なくとも１種である。
a、b、c、d、e'はBの種類に応じて次のような数を示す。
Bがアルカリ金属元素であり、かつMnを含まない場合：
3a+3b+c+5=2d+2e'、0≦a≦2、0＜b≦2、0≦c≦3、0＜d≦4、0＜e'≦6
Bがアルカリ金属元素であり、かつMnを２価として含む場合：
LnaAbBc-xMnxM'OdSe'・f'Ｚ'で表すと、3a+3b+(c-x)+2x+5=2d+2e'、
0≦a≦2、0＜b≦2、0≦c≦3、0＜d≦4、0＜e'≦6、0＜x＜c
Bがアルカリ金属元素であり、かつMnを４価として含む場合：
LnaAbBc-xMnxM'OdSe'・f'Ｚ'で表すと、3a+3b+(c-x)+4x+5=2d+2e'、
0≦a≦2、0＜b≦2、0≦c≦3、0＜d≦4、0＜e'≦6、0＜x＜c
Bがアルカリ土類金属元素であり、かつMnを含まない場合：
3a+3b+2c+5=2d+2e'、0≦a≦2、0＜b≦2、0≦c≦2、0＜d≦3,0＜e'≦3
Bがアルカリ土類金属元素であり、かつMnを２価として含む場合：
3a+3b+2c+5=2d+2e'、0≦a≦2、0≦b≦2、0≦c≦2、0＜d≦3、0＜e'≦3
Bがアルカリ土類金属元素であり、かつMnを４価として含む場合：
LnaAbBc-xMnxM'OdSe'・f'Ｚ'で表したとき、3a+3b+2(c-x)+4x+5=2d+2e'、
0≦a≦2、0≦b≦2、0≦c≦2、0＜d≦3、0＜e'≦3、0＜x＜c）